(57)【要約】【課題】日々変化する個人の嗜好や興味に応じたレシピ提供を行う。【解決手段】ホストシステムは、抽出キーワードと食材キーワードとを対応付けて食材キーワード分析データベースに予め登録し、端末装置へ送信した献立レシピデータの検索キーワードとして使用した食材キーワードを食材キーワード使用履歴データベースに登録し、取得したブログデータに含まれる名詞の単語が食材キーワード分析データベースに登録されている場合、その抽出キーワードに登録年月日と数値化された興味度とを付加し対応する食材キーワードと共に個人興味状況データベースに登録し、興味度の上位の抽出キーワードに対応する食材キーワードの中から検索キーワードを決定し、献立レシピデータを検索し、端末装置に送信する。【選択図】図１
2011191980.tif 000002
【特許請求の範囲】
【請求項１】
ホストシステムと、ブログデータを記録するブログ・つぶやきマスターデータベースを備えたブログ管理システムと、献立レシピデータベースを備えた献立レシピ管理システムと、前記ブログ管理システムへブログデータを送信しかつ前記ホストシステムから献立レシピデータを受信する端末装置と、を備えたレシピ提供システムであって、前記ホストシステムは、
抽出キーワードと食材キーワードとを対応付けて食材キーワード分析データベースに予め登録する手段と、
前記端末装置へ送信した献立レシピデータの検索キーワードとして使用した食材キーワードを食材キーワード使用履歴データベースに登録する手段と、
前記ブログ管理システムのブログ・つぶやきマスターデータベースから取得したブログデータをブログ・つぶやき蓄積データベースに登録する手段と、
前記ブログ・つぶやき蓄積データベースから取得したブログデータに含まれる名詞の単語を抽出し、抽出した単語が前記食材キーワード分析データベースに抽出キーワードとして登録されている場合、その抽出キーワードに登録年月日と数値化された興味度とを付加し対応する食材キーワードと共に個人興味状況データベースに登録する手段と、
前記個人興味状況データベースから興味度の上位の抽出キーワードを取得し、これらの抽出キーワードに対応する食材キーワードのうち、過去一定期間に前記食材キーワード使用履歴データベースに登録された食材キーワードに一致するものを取り除いた残りの食材キーワードの中から検索キーワードを決定する手段と、
前記検索キーワードとして決定された食材キーワードを用いて前記献立レシピ管理システムの献立レシピデータベースから献立レシピデータを検索する手段と、
検索された前記献立レシピデータを前記端末装置に送信する手段と、を有することを特徴とするレシピ提供システム。
【請求項２】
前記ホストシステムは、
前記献立レシピデータを受信した前記端末装置から送信された献立レシピ応答データに基づいて、前記ブログ管理システムのブログ・つぶやきマスターデータベースを更新する手段をさらに有することを特徴とする請求項１に記載のレシピ提供システム。
【請求項３】
前記ホストシステムは、
利用者に関係する食材データを個人プロフィールデータベースに登録する手段をさらに有し、
前記献立レシピデータを検索する手段が、前記検索キーワードとしての食材キーワードに加えて前記個人プロフィールデータベースに登録された食材データを用いて検索することを特徴とする請求項１又は２に記載のレシピ提供システム。
【請求項４】
前記ホストシステムは、
好みを表す関心キーワードと加算数値とを対応付けて興味キーワード分析データベースに予め登録する手段をさらに有し、
前記個人興味状況データベースに登録された抽出キーワードが含まれていた前記ブログデータの文章を取得し、その文章に含まれる関心キーワードに対応する加算数値を前記興味キーワード分析データベースから取得し、前記個人興味状況データベースの該抽出キーワードに対応する興味度に該加算数値を加算することを特徴とする請求項１〜３のいずれかに記載のレシピ提供システム。
【請求項５】
ホストシステムと、ブログデータを記録するブログ・つぶやきマスターデータベースを備えたブログ管理システムと、献立レシピデータベースを備えた献立レシピ管理システムと、前記ブログ管理システムへブログデータを送信しかつ前記ホストシステムから献立レシピデータを受信する端末装置と、を備えたレシピ提供システムによるレシピ提供方法であって、前記ホストシステムは、
抽出キーワードと食材キーワードとを対応付けて食材キーワード分析データベースに予め登録するステップと、
前記端末装置へ送信した献立レシピデータの検索キーワードとして使用した食材キーワードを食材キーワード使用履歴データベースに登録するステップと、
前記ブログ管理システムのブログ・つぶやきマスターデータベースから取得したブログデータをブログ・つぶやき蓄積データベースに登録するステップと、
前記ブログ・つぶやき蓄積データベースから取得したブログデータに含まれる名詞の単語を抽出し、抽出した単語が前記食材キーワード分析データベースに抽出キーワードとして登録されている場合、その抽出キーワードに登録年月日と数値化された興味度とを付加し対応する食材キーワードと共に個人興味状況データベースに登録するステップと、
前記個人興味状況データベースから興味度の上位の抽出キーワードを取得し、これらの抽出キーワードに対応する食材キーワードのうち、過去一定期間に前記食材キーワード使用履歴データベースに登録された食材キーワードに一致するものを取り除いた残りの食材キーワードの中から検索キーワードを決定するステップと、
前記検索キーワードとして決定された食材キーワードを用いて前記献立レシピ管理システムの献立レシピデータベースから献立レシピデータを検索するステップと、
検索された前記献立レシピデータを前記端末装置に送信するステップと、を実行することを特徴とするレシピ提供方法。
【発明の詳細な説明】
【技術分野】
【０００１】
本発明は、固定型又は携帯型の端末に対して献立レシピを配信することに関し、特にユーザ情報に基づいて最適な献立レシピを検索し、ユーザに提供するレシピ提供システム及び方法に関するものである。
【背景技術】
【０００２】
家庭の主婦にとって、毎日の献立を立てることは、かなりの手間暇を要する仕事であった。この献立のレシピを提供する手段としてインターネットを利用して多数のレシピを検索することのできるシステムがある。また、多数ある献立レシピを利用者の状況、例えば天候状況に合わせて提供するシステムがある。
【０００３】
図１８は、このレシピ提案システムの概要を示すブロック構成図であり、天候情報を入力する入力部１８１、献立レシピを記録する献立レシピデータベース１８２、献立レシピを天候情報より検索するデータ処理部１８３、検索結果である適合献立レシピを表示する表示部１８４から構成されている。
【０００４】
このようなレシピ提案システムにおいては天候情報を入力部１８１で登録し、天候情報よりデータ処理部１８３で献立レシピを献立レシピデータベース１８２より検索し、天候に応じた食事メニューを献立レシピとして表示部１８４で表示させる。
【０００５】
本発明に関連する公知技術文献としては下記特許文献１があげられる。特許文献１に記載のシステムは、利用者の住所入力に基づいて地域を特定し、地域に基づいて天気情報を取込み、その天気情報に対応するレシピ情報を抽出して利用者の端末上に表示させるものである。
【先行技術文献】
【特許文献】
【０００６】
【特許文献１】特開２００３−２８８４８２号公報
【発明の概要】
【発明が解決しようとする課題】
【０００７】
ところで、献立レシピを考えるときに自分の望む献立レシピに関する検索文字列を考え付かない場合が多い。これは、メールマガジンなどを利用して献立レシピを提案する方法で補うことができる。
しかし、興味のない献立レシピを提供する場合があり、役に立たないことが多い。これは、事前に登録した個人情報の嗜好やこれまでに検索した履歴をもとに献立レシピを提供することで補うことができる。
それでもなお、自分の嗜好や興味については、その日の出来事により変化するものであり、自分の望むレシピが提供されない場合がある。
【０００８】
本発明の目的は、日々変化する個人の嗜好や興味を個人の出来事によって推定し、これを判断材料とした献立レシピの提供を行なうことができるレシピ提供システム及び方法を提供することにある。
【課題を解決するための手段】
【０００９】
上記目的を達成する本発明の構成は以下の通りである。
本発明によるレシピ提供システムは、ホストシステムと、ブログデータを記録するブログ・つぶやきマスターデータベースを備えたブログ管理システムと、献立レシピデータベースを備えた献立レシピ管理システムと、前記ブログ管理システムへブログデータを送信しかつ前記ホストシステムから献立レシピデータを受信する端末装置と、を備えたレシピ提供システムであって、前記ホストシステムは、抽出キーワードと食材キーワードとを対応付けて食材キーワード分析データベースに予め登録する手段と、前記端末装置へ送信した献立レシピデータの検索キーワードとして使用した食材キーワードを食材キーワード使用履歴データベースに登録する手段と、前記ブログ管理システムのブログ・つぶやきマスターデータベースから取得したブログデータをブログ・つぶやき蓄積データベースに登録する手段と、前記ブログ・つぶやき蓄積データベースから取得したブログデータに含まれる名詞の単語を抽出し、抽出した単語が前記食材キーワード分析データベースに抽出キーワードとして登録されている場合、その抽出キーワードに登録年月日と数値化された興味度とを付加し対応する食材キーワードと共に個人興味状況データベースに登録する手段と、前記個人興味状況データベースから興味度の上位の抽出キーワードを取得し、これらの抽出キーワードに対応する食材キーワードのうち、過去一定期間に前記食材キーワード使用履歴データベースに登録された食材キーワードに一致するものを取り除いた残りの食材キーワードの中から検索キーワードを決定する手段と、前記検索キーワードとして決定された食材キーワードを用いて前記献立レシピ管理システムの献立レシピデータベースから献立レシピデータを検索する手段と、検索された前記献立レシピデータを前記端末装置に送信する手段と、を有する。
【００１０】
上記においてホストシステムは、前記献立レシピデータを受信した前記端末装置から送信された献立レシピ応答データに基づいて、前記ブログ管理システムのブログ・つぶやきマスターデータベースを更新する手段をさらに有することが好適である。
【００１１】
上記においてホストシステムは、利用者に関係する食材データを個人プロフィールデータベースに登録する手段をさらに有し、前記献立レシピデータを検索する手段が、前記検索キーワードとしての食材キーワードに加えて前記個人プロフィールデータベースに登録された食材データを用いて検索することが好適である。
【００１２】
上記においてホストシステムは、好みを表す関心キーワードと加算数値とを対応付けて興味キーワード分析データベースに予め登録する手段をさらに有し、前記個人興味状況データベースに登録された抽出キーワードが含まれていた前記ブログデータの文章を取得し、その文章に含まれる関心キーワードに対応する加算数値を前記興味キーワード分析データベースから取得し、前記個人興味状況データベースの該抽出キーワードに対応する興味度に該加算数値を加算することが好適である。
【００１３】
本発明によるレシピ提供方法は、ブログデータを記録するブログ・つぶやきマスターデータベースを備えたブログ管理システムと、献立レシピデータベースを備えた献立レシピ管理システムと、前記ブログ管理システムへブログデータを送信しかつ前記ホストシステムから献立レシピデータを受信する端末装置と、を備えたレシピ提供システムによるレシピ提供方法であって、前記ホストシステムは、抽出キーワードと食材キーワードとを対応付けて食材キーワード分析データベースに予め登録するステップと、前記端末装置へ送信した献立レシピデータの検索キーワードとして使用した食材キーワードを食材キーワード使用履歴データベースに登録するステップと、前記ブログ管理システムのブログ・つぶやきマスターデータベースから取得したブログデータをブログ・つぶやき蓄積データベースに登録するステップと、前記ブログ・つぶやき蓄積データベースから取得したブログデータに含まれる名詞の単語を抽出し、抽出した単語が前記食材キーワード分析データベースに抽出キーワードとして登録されている場合、その抽出キーワードに登録年月日と数値化された興味度とを付加し対応する食材キーワードと共に個人興味状況データベースに登録するステップと、前記個人興味状況データベースから興味度の上位の抽出キーワードを取得し、これらの抽出キーワードに対応する食材キーワードのうち、過去一定期間に前記食材キーワード使用履歴データベースに登録された食材キーワードに一致するものを取り除いた残りの食材キーワードの中から検索キーワードを決定するステップと、前記検索キーワードとして決定された食材キーワードを用いて前記献立レシピ管理システムの献立レシピデータベースから献立レシピデータを検索するステップと、検索された前記献立レシピデータを前記端末装置に送信するステップと、を実行することを特徴とする。
【発明の効果】
【００１４】
以上のように本発明のレシピ提供システムによれば、次のような効果がある。
日々変化する個人の嗜好や興味を、個人の出来事の含まれるブログデータから推定し、これを判断材料とした献立レシピを提供することができる。従って、利用者がその日に望む献立レシピを、利用者に負担をかけることなく確実に提供することができる。
【図面の簡単な説明】
【００１５】
【図１】本発明の一実施の形態例を示すシステム構成図である。
【図２】個人興味状況データベースのデータの構成図である。
【図３】ブログ・つぶやきマスターデータベースのデータの構成図である。
【図４】献立レシピデータベースのデータの構成図である。
【図５】ブログ・つぶやき蓄積データベースのデータの構成図である。
【図６】個人プロフィールデータベースのデータの構成図である。
【図７】食材キーワードデータベースのデータの構成図である。
【図８】興味キーワードデータベースのデータの構成図である。
【図９】食材キーワード使用履歴データベースのデータの構成図である。
【図１０】移動端末装置の内部構成を示すシステム構成図である。
【図１１】ホストシステムのデータ処理のフローチャートである。
【図１２Ａ】個人状況分析処理部のフローチャート（前半）である。
【図１２Ｂ】個人状況分析処理部のフローチャート（後半）である。
【図１３】検索キーワード抽出処理部のフローチャートである。
【図１４】献立レシピ検索処理部のフローチャートである。
【図１５】送受信処理部のフローチャートである。
【図１６】ブログ更新処理部のフローチャートである。
【図１７】端末装置のデータ処理のフローチャートである。
【図１８】従来のレシピ提供システムの概略構成図である。
【発明を実施するための形態】
【００１６】
以下、本発明を適用したレシピ提供システムの一実施の形態について説明する。
図１は、本発明に係る実施形態におけるシステム構成図である。本システムは、複数のシステム及び端末装置から構成される。
【００１７】
複数のシステムとして、利用者の興味・関心のキーワードを記録する個人興味状況データベース１を備えた中心的なシステムであるホストシステム２と、利用者がインターネットを通じて使用しているブログ・つぶやきを記録しているブログ・つぶやきマスターデータベース４を備えたブログ管理システム５と、献立レシピデータベース６を備えたレシピ管理システム７が設けられる。端末装置としては、利用者により使用されホストシステム２から献立レシピデータを受信する移動端末装置３がある。移動端末装置３に替えて、パーソナルコンピュータ等の固定端末装置でもよい。ホストシステム２と、移動端末装置３と、ブログ管理システム５と、レシピ管理システム７とは、インターネットを含む公衆回線網８と接続されている。
【００１８】
ホストシステム２には、個人興味状況データベース１の他に、ブログ・つぶやき蓄積データベース９と、個人プロフィールデータベース１０と、食材キーワード分析データベース１１と、興味キーワード分析データベース１２と、食材キーワード使用履歴データベース１３が設けられている。
【００１９】
また、ホストシステム２は、ブログ・つぶやき蓄積データベース９の更新処理を行うブログデータ収集処理部１４、個人興味状況データベース１の更新処理を行う個人状況分析処理部１５、個人興味状況データベースからレシピ検索キーワードの抽出を行なう検索キーワード抽出処理部１６、献立レシピデータベース６から検索キーワード処理部１６で抽出したキーワードを用いて検索処理を行なう献立レシピ検索処理部１７、移動端末装置３とブログ管理システム５とレシピ管理システム７との送受信を行なう送受信処理部１８、ブログ管理システム５のブログ・つぶやきマスターデータベース４を更新するブログ更新処理部１９を備えている。これらの処理部は、コンピュータであるホストシステム２に導入された適宜のサーバプログラムにより実現される。
【００２０】
本システムは、当然ながら多数の利用者により利用されるが、以下では一利用者について実行される処理を前提として説明する。従って、多数の利用者のうちのどの利用者であるかを識別する処理（ユーザＩＤ等による識別認証処理）については説明を省略する。なお、各利用者についての処理は、具体的データがそれぞれ異なることを除いて同様に行われる。
以下、図２〜図９に、各データベースのデータ構成図の実施例をそれぞれ示す。
【００２１】
図２は、図１のホストシステム２の個人興味状況データベース１のデータ構成図である。個人興味状況データベース１には、例えばドラマのタイトルや地域の名前などといった興味・関心の抽出キーワードとその抽出キーワードに対する興味度が数値化されて登録されている。抽出キーワードは、名詞の単語である。個人興味状況データベース１のデータ項目は、「抽出キーワード」２１、「登録年月日」２２、「興味度」２３及び「食材キーワード」２４で構成されている。抽出キーワード別に各項目のデータが登録される。この登録は、ホストシステム２の個人状況分析処理部１によって、ブログ管理システム５から受信したブログデータに基づいて登録される。
【００２２】
図３は、図１のブログ管理システム５のブログ・つぶやきマスターデータベース４のデータ構成図である。ブログ・つぶやきマスターデータベース４には、利用者が利用しているブログのタイトルや文章といった文字列データが登録されている。ブログ・つぶやきマスターデータベース４のデータ項目は、「更新日付」３１、「更新時刻」３２、「投稿者」３３、「タイトル」３４及び「本文」３５から構成されている。更新される毎に１つの行の各項目にデータが格納される。１つの行の各項目に格納されたデータ全体が１つのブログデータ３６を構成する。「投稿者」３３のデータ"Ａ"は、本システムの特定の利用者に対応する。この登録は、移動端末装置３からブログ管理システム５へブログデータ３６を送信することにより行われる。
【００２３】
図４は、図１のレシピ管理システム７の献立レシピデータベース６のデータ構成図である。献立レシピデータベース６のデータ項目は、「料理タイトル」４１、「食材」４２及び「料理情報」４３から構成されている。１つの行の各項目に格納されたデータ全体が１つの献立レシピデータ４４を構成する。例えば、食材４２にはじゃがいも１００ｇといった材料と分量が登録され、料理情報４３には作り方、和食といった情報が登録される。
【００２４】
図５は、図１のホストシステム２のブログ・つぶやき蓄積データベース９のデータの構成図である。ブログ・つぶやき蓄積データベース９には、利用者が利用しているブログのタイトルや文章といった文字列データが登録されている。ブログ・つぶやき蓄積データベース９のデータ項目は、「更新日付」５１、「更新時刻」５２、「タイトル」５３及び「本文」５４から構成されている。１つの行の各項目に格納されたデータ全体が「ブログデータ」５５を構成する。この登録は、ホストシステム２のブログデータ収集処理部１４によって、ブログ管理システム５からブログデータ３６を受信することにより行われる。
【００２５】
図６は、図１のホストシステム２の個人プロフィールデータベース１０のデータ構成図である。個人プロフィールデータベース１０には、例えば利用者のアレルギー食材と必要な栄養素を持った食材と嫌いな食材といった利用者に関係する食材又は料理のデータが登録されている。これらのデータは、献立レシピデータの検索に使用できる。個人プロフィールデータベース１０のデータ項目は、「アレルギー食材」６１、「必要な栄養をもつ食材」６２及び「嫌いな食材」６３から構成される。この登録は、移動端末装置３からホストシステム２へデータを送信することにより行うことが出来る。
【００２６】
図７は、図１のホストシステム２の食材キーワードデータベース１１のデータ構成図である。食材キーワード分析データベース１１のデータ項目は、「抽出キーワード」７１、「区分」７２及び「食材キーワード」７３から構成されている。抽出キーワード別に各項目のデータが登録される。例えば、抽出キーワード７１に"バンクーバー"、区分７２に"地名"、食材キーワード７３に"カナダ"と登録され、バンクーバーに関連性の高いカナダ料理が献立レシピの検索対象となる。この抽出キーワード７１と食材キーワード７３の対応付けは、例えば本システム構築時に行われ予め登録され、適宜更新される。
【００２７】
図８は、図１のホストシステム２の興味キーワードデータベース１２のデータ構成図である。興味キーワード分析データベース１２のデータ項目は、「関心キーワード」８１及び「加算数値」８２で構成される。関心キーワードは、好みを表す単語である。例えば、関心キーワード８１のデータが"好き"の場合、加算数値８２のデータとして"１"と登録される。そして例えば、上記ブログ・つぶやき蓄積データベース９の本文に"鮭が好き"という文章があった場合、上記個人興味状況データベースの抽出キーワード"鮭"の興味度に"１"を加算することとなり、献立レシピの検索対象となる可能性が高くなり、より興味のある献立レシピを提供できる。
【００２８】
図９は、図１のホストシステム２の食材キーワード使用履歴データベース１３のデータの構成図である。食材キーワード使用履歴データベース１３のデータ項目は、「使用日」９１及び「食材キーワード」９２で構成される。
【００２９】
図１０は、図１の移動端末装置３の構成を示した図である。
データ処理部１０１は、図１のホストシステム２から受信した図４の献立レシピデータ４４を表示部１０２に表示する献立レシピ表示処理部１０１１と、ブログデータ表示処理部１０１２と、献立レシピ応答処理部１０１３と、ブログ更新部応答処理部１０１４により構成される。
入力部１０３は、図３のブログデータ３６の入力と図４の献立レシピデータ４４の応答選択の入力を行なう。
送受信部１０４は、ホストシステム２から送信されてくる図４の献立レシピデータ４４のデータ受信と、ホストシステム２へ送信する献立レシピ応答データの送信と、図１のブログ管理システム５へ送信するブログデータ３６の送信を行なう。移動端末装置とは、例えばインターネットを利用可能な携帯端末である。
【００３０】
以上のように構成されたレシピ提供システムの動作を説明する。説明においては、図１〜図１０中の符号を参照する。
図１１は、ホストシステム２のデータ処理の概要を示すフローチャートである。
ホストシステム２の起動により処理が開始され、現在の時刻がブログ検索時間（又は時間帯）であるか否かを判定する（ステップ１１０１）。
現在の時刻がブログ検索時間である場合、ホストシステム２からブログ管理システム５へブログデータ３６の送信要求を行ない（ステップ１１０２）、ホストシステム２においてブログ管理システム５からのブログデータ３６の受信を行なう（ステップ１１０３）。
受信したブログデータ３６によりブログに更新があるか否かを判定する（ステップ１１０４）。更新がある場合、更新部分のブログデータ３６をブログ・つぶやき蓄積データベース９に登録し（ステップ１１０５）、更新部分のブログデータ３６に基づいて個人状況分析処理を行なう（ステップ１１０６）。その後、ブログ検索時間であるか否かの判定に戻る（ステップ１１０１）。
【００３１】
ステップ１１０４においてブログに更新が無い場合、ブログ検索時間であるか否かの判定に戻る（ステップ１１０１）。例えば、ブログ更新有無の確認にはRSS（RDF Site Summary）といったフィードデータを受信することで確認することができる。
【００３２】
ステップ１１０１において、現在の時刻がブログ検索時間ではない場合、レシピ提供時間（又は時間帯）か否かを判定する（ステップ１１０７）。レシピ提供時間である場合、検索キーワード抽出処理を行ない（ステップ１１０８）、献立レシピ検索処理を行ない（ステップ１１０９）、献立レシピデータ４４を移動端末装置３へ送信する送受信処理を行なう（ステップ１１１０）。その後、ブログ検索時間であるか否かの判定に戻る（ステップ１１０１）。
【００３３】
現在の時刻がレシピ提供時間ではない場合、献立レシピ応答データを受信したか否かを判定し（ステップ１１１１）、受信している場合、献立レシピ応答データに合わせ送受信処理を行ない（ステップ１１１０）、ブログ検索時間であるか否かの判定に戻る（ステップ１１０１）。また、献立レシピ応答データを受信していない場合、ブログ検索時間であるか否かの判定に戻る（ステップ１１０１）。
【００３４】
図１２Ａ及び図１２Ｂは、ホストシステム２の個人状況分析処理部１５の処理概要（図１１のステップ１１０６に関連）を示すフローチャートである。
【００３５】
個人状況分析処理を開始し、ブログ・つぶやき蓄積データベース９より更新部分のブログデータ５５のタイトル５３及び本文５４を取得し（ステップ１２０１）、取得したブログデータより、名詞となる単語を抽出し（ステップ１２０２）、抽出した単語が個人興味状況データベース１の抽出キーワード２１に存在するか否かを判定する（ステップ１２０３）。例えば、タイトル５３が"お出かけ"、本文５４が"日本橋に行きました。"の場合、"日本橋"が抽出される単語となる。また、"日本橋"が個人興味状況データベース１の抽出キーワード２１に登録されているか否かを判定する処理となる。
【００３６】
抽出した単語が登録済みの抽出キーワード２１に存在しない場合、抽出した単語を個人興味状況データベース１の抽出キーワード２１として、登録年月日２２を付加し、興味度２３を"１"とし、登録する（ステップ１２０４）。抽出した単語が登録済みの抽出キーワード２１に存在する場合、抽出キーワード２１の登録年月日２２を更新し、興味度２３に＋１を加算し、更新する。（ステップ１２０５）。例えば、抽出キーワード２１に"日本橋"がない場合は新規に登録されることとなり、抽出キーワード２１に"日本橋"、登録年月日２２に当日日付、興味度に"１"が登録される。また、この時点では食材キーワード２４は空欄のままである。
【００３７】
次に、抽出した単語を含む１文章を、取得したブログデータから取り出し（ステップ１２０６）、１文章内に興味キーワード分析データベース１２内の関心キーワード８１が含まれているか否かを判定する（ステップ１２０７）。含まれている場合、興味キーワード分析データベース１２の関心キーワード８１に対応する加算数値８２を個人興味状況データベース１の興味度２３に加算する（ステップ１２０８）。
【００３８】
さらに、食材キーワード分析データベース１１内に抽出した単語が存在するか否かを判定し（ステップ１２０９）、存在する場合は、食材キーワード７３を個人興味状況データベース１の食材キーワード２４に登録し（ステップ１２１０）、処理終了とする。存在しない場合は、抽出した単語を抽出キーワード２１とするデータを個人興味状況データベース１から削除し（ステップ１２１１）、処理終了とする。
【００３９】
図１３は、ホストシステム２の検索キーワード抽出処理部１６の処理概要（図１１のステップ１１０８に関連）を示すフローチャートである。
検索キーワード抽出処理を開始し、個人興味状況データベース１から興味度２３の上位１１項目のデータを取得し（ステップ１３０１）、取得した１１項目のデータから、食材キーワード使用履歴データベース１３の過去一定期間（例えば１０日間）の食材キーワード９２と一致するデータを取り除く（ステップ１３０２）。残ったデータから興味度２３の一番高いデータの食材キーワード２４を検索キーワードとして決定し（ステップ１３０３）、処理を終了する。
【００４０】
図１４は、ホストシステム２の献立レシピ検索処理部１７の処理概要（図１１のステップ１１０９に関連）を示すフローチャートである。
献立レシピ検索処理を開始し、検索条件(1)として「検索キーワード抽出処理結果の検索キーワードを含む」と設定し（ステップ１４０１）、検索条件(2)として「個人プロフィールデータベース１０上の必要な栄養素をもつ食材６２が少なくとも１つ存在する」と設定し（ステップ１４０２）、検索条件(3)として「個人プロフィールデータベース１０上のアレルギー食材６１と嫌いな食材６３を含まない」と設定し（ステップ１４０３）、検索条件(1)と、検索条件(2)と、検索条件(3)とを全て満たす献立レシピデータベース６内のデータを検索し（ステップ１４０４）、処理を終了する。
【００４１】
図１５は、ホストシステム２の送受信処理部１８の処理概要（図１１のステップ１１１０に関連）を示すフローチャートである。
送受信処理を開始し、レシピ提供時間における献立レシピデータ４４の送信であるか否かを判定し（ステップ１５０１）、レシピ提供時間における献立レシピデータ４４の送信である場合、図１１のステップ１１０９で抽出された献立レシピデータを移動端末装置３へ送信し（ステップ１５０２）、食材キーワード使用履歴データベース１３に検索に使用した食材キーワード９２を追加登録し（ステップ１５０４）、処理終了とする。
【００４２】
レシピ提供時間における献立レシピデータ４４の送信でない場合（この場合、図１１のステップ１１１１において移動端末装置からの献立レシピ応答データを受信している）は、受信した献立レシピ応答データが承諾通知か否かを判定する（ステップ１５０５）。献立レシピ応答データが承諾通知である場合、献立レシピデータ４４をブログ更新処理部に送付し（ステップ１５０６）、ブログ管理システム５のブログ・つぶやきマスターデータベース４のブログ更新処理をし（ステップ１５０７）、処理を終了する。
【００４３】
受信した献立レシピ応答データが承諾通知ではないすなわち再検索の要求の場合、再度、図１３の検索キーワード抽出処理を実施し（ステップ１５０８）、図１４の献立レシピ検索処理を実施し（ステップ１５０９）、抽出した献立レシピデータベース６の献立レシピデータを移動端末装置３へ送信し（ステップ１５０２）、食材キーワード使用履歴データベース１３に検索に使用した食材キーワード９２を追加登録し（ステップ１５０３）、処理終了とする。
【００４４】
図１６は、ホストシステム２のブログ更新処理部１９の処理概要を示すフローチャートである。
ブログ更新処理を開始し、送受信処理部から受け取ったデータを元にブログデータ５６を作成し（ステップ１６０１）、ブログデータ５６をブログ管理システム５へ送付し、ブログ・つぶやきマスターデータベース４に登録し（ステップ１６０２）、処理を終了する。
【００４５】
図１７は、端末装置３のデータ処理１０１の処理概要を示すフローチャートである。
端末装置３のデータ処理を開始し、献立レシピデータ４４の受信をしたか否かを判定する（ステップ１７０１）。献立レシピデータ４４を受信した場合、献立レシピデータ４４を表示部１０２に表示する献立レシピデータ表示処理を行ない（ステップ１７０２）、承諾の入力有無の判定を行ない（ステップ１７０３）、承諾の入力があった場合、承諾の献立レシピ応答データをホストシステム２へ送信する（ステップ１７０４）。承諾の入力が無かった場合、再検索の献立レシピ応答データをホストシステム２へ送信する（ステップ１７０５）。
【００４６】
献立レシピデータ４４を受信していない場合、ブログデータ３６の入力有無の判定を行ない（ステップ１７０６）、ブログデータ３６の入力があった場合、ブログデータ３６を表示部１０２に表示するブログデータ表示処理を行ない（ステップ１７０７）、更新の入力有無を判定する（ステップ１７０８）。更新の入力があった場合、端末装置３からブログデータ３６をブログ管理システム５に送信し、ブログ・つぶやきマスターデータベース４を更新するブログ更新処理を行なう（ステップ１７０９）。更新の入力が無かった場合、献立レシピデータ４４の受信有無の判定を行なう（ステップ１７０１）。また、ブログデータ３６の入力が無かった場合も献立レシピデータ４４の受信有無の判定を行なう。
【符号の説明】
【００４７】
１：個人興味状況データベース、２：ホストシステム、３：移動端末装置、４：ブログ・つぶやきマスターデータベース、５：ブログ管理システム、６：献立レシピデータベース、７：レシピ管理システム、８：公衆回線網、９：ブログ・つぶやき蓄積データベース、１０：個人プロフィールデータベース、１１：食材キーワード分析データベース、１２：興味キーワード分析データベース、１３：食材キーワード使用履歴データベース、１４：ブログデータ収集処理部、１５：個人状況分析処理部、１６：検索キーワード抽出処理部、１７：献立レシピ検索処理部、１８：送受信処理部、１９：ブログ更新処理部
【図１】
2011191980.tif 000003
【図２】
2011191980.tif 000004
【図３】
2011191980.tif 000005
【図４】
2011191980.tif 000006
【図５】
2011191980.tif 000007
【図６】
2011191980.tif 000008
【図７】
2011191980.tif 000009
【図８】
2011191980.tif 000010
【図９】
2011191980.tif 000011
【図１０】
2011191980.tif 000012
【図１１】
2011191980.tif 000013
【図１２Ａ】
2011191980.tif 000014
【図１２Ｂ】
2011191980.tif 000015
【図１３】
2011191980.tif 000016
【図１４】
2011191980.tif 000017
【図１５】
2011191980.tif 000018
【図１６】
2011191980.tif 000019
【図１７】
2011191980.tif 000020
【図１８】
2011191980.tif 000021